(57)【要約】  本発明は、内部にクッション部材６３０を備える本体部６１０；前記本体部６１０の後面を支持する固定ブラケット６４０；前記クッション部材６３０に一体に挿入成形されるインサート６５０；前記クッション部材６３０の後端面から前記インサート６５０まで凹形状に形成される締結溝部６６０；及び前記締結溝部６６０の内部に配置され、前記インサート６５０に直接締結される振動ユニット６７０；を含む振動体感型シートに関する。【選択図】図４
2017504365.tif 000002
【特許請求の範囲】
【請求項１】
内部にクッション部材を備える本体部；
前記本体部の後面を支持する固定ブラケット；
前記クッション部材に一体に挿入成形されるインサート；
前記クッション部材の後端面から前記インサートまで凹形状に形成される締結溝部；及び
前記締結溝部の内部に配置され、前記インサートに直接締結される振動ユニット；
を含むことを特徴とする振動体感型シート。
【請求項２】
両端が前記本体部に固定され、前記インサートを支持するように設けられる支持フレームをさらに含むことを特徴とする請求項１に記載の振動体感型シート。
【請求項３】
前記本体部の一部に設けられる通信部；及び
前記本体部の一部に設けられ、前記通信部の信号に応じて前記振動ユニットに電源を供給する電源供給部；
をさらに含むことを特徴とする請求項２に記載の振動体感型シート。
【請求項４】
前記本体部の前面、側面の全体及び後面の一部を囲むように設けられるカバーをさらに含むことを特徴とする請求項３に記載の振動体感型シート。
【請求項５】
前記カバーは、防水素材で形成されることを特徴とする請求項４に記載の振動体感型シート。
【請求項６】
前記インサートは、八角形の板形状に形成され、
前記振動ユニットを結合するための複数個のボルト締結孔；
中央に形成される円形状の第１の貫通孔；
前記第１の貫通孔の外周縁に沿って一定の角度を有するように配置され、円形状に形成される複数個の第２の貫通孔；及び
前記第２の貫通孔の間で前記第１の貫通孔の外周縁に沿って一定間隔で配置され、円形状に形成される第３の貫通孔；を備え、
前記第１の貫通孔、第２の貫通孔、及び第３の貫通孔の直径が互いに異なるように形成されることを特徴とする請求項４に記載の振動体感型シート。
【請求項７】
前記インサートは、八角形の板形状に形成され、
前記振動ユニットを結合するための複数個のボルト締結孔；及び
市松模様状に配置され、同一の直径を有して円形状に形成される複数個の貫通孔；
を備えることを特徴とする請求項４に記載の振動体感型シート。
【請求項８】
前記インサートは、ジグザグ状に複数回折り曲げられる板形状に形成されることを特徴とする請求項４に記載の振動体感型シート。
【請求項９】
前記インサートは、
前記振動ユニットを結合するための複数個のボルト締結孔；及び
複数個の水平部と複数個の垂直部と；を備え、
隣接して配置される垂直部同士の間の間隔が同一であり、前記インサートの両端をなす前記垂直部は、互いに逆方向を向くように配置されることを特徴とする請求項８に記載の振動体感型シート。
【請求項１０】
前記インサートは、
本体；
前記本体にジグザグ状に複数回折り曲げて形成される複数個の水平部と複数個の垂直部とを有する凹部；及び
前記振動ユニットを結合するため、前記本体部の一部に形成される複数個のボルト締結孔；を含み、
前記凹部の垂直部同士の間の第１の間隔と第２の間隔とは、互いに異なるように形成されることを特徴とする請求項４に記載の振動体感型シート。
【請求項１１】
前記振動体感型シートは、振動体感型椅子の着席部に着脱可能に設けられることを特徴とする請求項１乃至１０のいずれか１項に記載の振動体感型シート。
【発明の詳細な説明】
【技術分野】
【０００１】
本発明は、本体部の内部に配置されるクッション部材に一体に挿入成形されるインサートに直接締結される振動ユニットによって、観客に、生き生きとした振動を伝達し、観客の興味を向上させるための携帯用振動体感型シートに関する。
【背景技術】
【０００２】
映画館は、一般の映画（２次元映像）を上映する一般の映画館、テーマパークなどの遊戯を楽しむための場所での特殊な映画館、博物館・ＰＲセンター・展示館において教育や広報のための展示映画館などに大別される。
【０００３】
通常、人の眼で見えるものは、主に３次元の立体映像であるが、カメラやカムコーダーのような撮影機器などを用いて撮影した映像を一般の映画館のスクリーンを介して観覧する場合、２次元の平面映像であるため、立体感が大きく劣る。
【０００４】
従来、一般の映画館のような映像製作物の上映施設では、観客に単に映像を上映していたが、近年、信号の双方向交信が可能なデジタルメディアの拡散と映画産業の発達で、新形態の映画上映が行われるようになり、映像に加えて様々な効果を観客に提供している。換言すれば、従来一般の映画館は、単に映像を視覚的に観覧する場所であったが、最近の映画館は、映像の視覚的な観覧と共に様々な効果を直接体験することができる場所へ発展している。
【０００５】
通常、特殊撮影された映像を観覧することで映像の立体感を視覚的に感じることができる映画館は、通常「３Ｄ映画館」と呼ばれているが、これとは別に、視聴覚の他に、触覚、臭覚などを刺激して五感で映像を観覧し得る映画館は、「４Ｄ映画館」と呼ばれている。
【０００６】
最近、３Ｄ映画館、４Ｄ映画館又はテーマ映画館においては、観客に上映される映画の状況に合わせて振動を伝達するため、映画館の椅子に振動ユニットを設置し、映画中の重低音サウンドと前記振動ユニットとが連動して椅子が自動的に振動するように制御することで、より生き生きとした動感を出して観客が自ら体験できるようになっている。
【０００７】
以下、従来の振動体感型椅子について詳述する。
【０００８】
図１は、従来の振動体感型椅子１０を示す正面図であり、図２は、従来の振動体感型椅子１０を示す側面図である。
【０００９】
図１乃至図２に示されるように、従来の振動体感型椅子１０は、床面７０に固定される固定部６０を備えている。
【００１０】
前記固定部６０は、通常、一対で設けられる。
【００１１】
前記一対の固定部６０の一部に、背もたれ部２０が固定設置され、前記一対の固定部６０の一部に、着席部３０が連結部５０により回転可能に設けられ、前記一対の固定部６０の上端に、一対の肘掛け部４０が配設されている。
【００１２】
背もたれ部２０は、観客に安楽性を提供するため、内部に第１のクッション部材２２を備え、前記第１のクッション部材２２の前面、側面の全体及び後面の一部が、第１のカバー２１で囲まれている。また、第１のクッション部材２２の後面は、第１の固定ブラケット２３で囲まれている。前記第１のクッション部材２２には、トランスデューサー２４が設けられている。
【００１３】
着席部３０は、観客に安楽性を提供するため、内部に第２のクッション部材３２を備え、前記第２のクッション部材３２の前面、側面の全体及び後面の一部が、第２のカバー３１で囲まれている。また、第２のクッション部材３２の後面は、第２の固定ブラケット３３で囲まれている。前記第２のクッション部材３２には、トランスデューサー３４が設けられている。
【００１４】
韓国登録実用新案第２０−０４１９０２６号には、上述のような技術的思想が開示されている。
【００１５】
しかし、児童映画館や一般の劇場では、前述のような振動体感型椅子が設置されておらず、観客が床面上又は一般の椅子に着座して観覧するようになり、映画上映情報に一致する生き生きとした振動を伝達されていないため、興味が低下するという問題があった。
【００１６】
また、児童映画館又は一般の劇場では、振動体感型椅子を設置するためには多大な設備コストが必要となり、また、工事期間中の休館によるメンテナンスコストが増加するなどの問題があった。
【００１７】
さらに、一般の椅子の着席部又は従来の振動体感型椅子の着席部に幼児・児童が座っている時に振動が伝達される場合は、着席部から転落するなどの不注意による事故が発生するおそれがあるという問題点があった。
【発明の概要】
【発明が解決しようとする課題】
【００１８】
本発明は、上述のような問題点を解決するためになされたもので、本発明の目的は、従来の劇場において振動体感型椅子を設置するための時間や費用をかけることなく、本体部の内部に設けられるクッション部材に一体に挿入成形されるインサートに直接締結される振動ユニットによって観客に生き生きとした振動を直接伝達することで、観客の興味を向上させ、設置費用を削減することができる振動体感型シートを提供することにある。
【課題を解決するための手段】
【００１９】
本発明の目的を達成するための本発明の好適な一実施例に係る振動体験型シートは、内部にクッション部材を備える本体部；前記本体部の後面を支持する固定ブラケット；前記クッション部材に一体に挿入成形されるインサート；前記クッション部材の後端面から前記インサートまで凹形状に形成される締結溝部；及び前記締結溝部の内部に配置され、前記インサートに直接締結される振動ユニット；を含む。
【００２０】
また、本発明の好適な他の一実施例に係る振動体感型シートは、両端が前記本体部に固定され、前記インサートを支持するように設けられる支持フレームをさらに含むことができる。
【００２１】
また、本発明の好適な他の一実施例に係る振動体感型シートは、本体部の一部に設けられる通信部；及び前記本体部の一部に設けられ、前記通信部の信号に応じて前記振動ユニットに電源を供給する電源供給部；をさらに含むことができる。
【００２２】
また、本発明の好適な他の一実施例に係る振動体感型シートは、本体部の前面、側面の全体及び後面の一部を囲むように設けられるカバーをさらに含むことができる。
【００２３】
また、本発明の好適な他の一実施例に係る振動体感型シートのカバーは、防水素材で形成することができる。
【００２４】
また、本発明の好適な他の一実施例に係る振動体感型シートのインサートは、八角形の板形状に形成されるが、前記振動ユニットを結合するための複数個のボルト締結孔；中央に形成される円形状の第１の貫通孔；前記第１の貫通孔の外周縁に沿って一定の角度を有するように配置され、円形状に形成される複数個の第２の貫通孔；及び前記第２の貫通孔の間で前記第１の貫通孔の外周縁に沿って一定間隔で配置され、円形状に形成される第３の貫通孔；を備え、前記第１の貫通孔、第２の貫通孔、及び第３の貫通孔の直径が互いに異なるように形成することができる。
【００２５】
また、本発明の好適な他の一実施例に係る振動体感型シートのインサートは、八角形の板形状に形成されるが、前記振動ユニットを結合するための複数個のボルト締結孔；及び市松模様状に配置され、同一の直径を有して円状に形成される複数個の貫通孔；を備えることができる。
【００２６】
また、本発明の好適な他の一実施例に係る振動体感型シートのインサートは、ジグザグ状で複数回折り曲げられる板形状に形成することができる。
【００２７】
また、本発明の好適な他の一実施例に係る振動体感型シートのインサートは、前記振動ユニットを結合するための複数個のボルト締結孔；及び複数個の水平部と複数個の垂直部と；を備え、隣接して配置される垂直部同士の間の間隔が同一であり、前記インサートの両端をなす前記垂直部は、互いに逆方向を向くように配置される。
【００２８】
また、本発明の好適な他の一実施例に係る振動体感型シートのインサートは、本体；前記本体にジグザグ状に複数回折り曲げて形成される複数個の水平部と複数個の垂直部とを有する凹部；及び前記振動ユニットを結合するため、前記本体部の一部に形成される複数個のボルト締結孔；を含むが、前記凹部の垂直部同士の間の第１の間隔と第２の間隔とは、互いに異なるように形成することができる。
【００２９】
また、本発明の好適な他の一実施例に係る振動体感型シートは、振動体感型椅子の着席部に着脱可能に設置することができる。
【発明の効果】
【００３０】
本発明に係る振動体感型シートでは、本体部の内部に設けられるクッション部材に一体に挿入成形されるインサートに直接締結される振動ユニットによって観客に生き生きとした振動を伝達することで、映画の映像情報に一致する動感のある振動によって観客の興味を最大化できるという効果が得られる。
【００３１】
また、本発明に係る振動体感型シートは、比較的簡単な構成となっているため、製造コストが削減されるという効果が得られる。
【００３２】
さらに、本発明に係る振動体感型シートは、振動体感型椅子を別途設置する必要がなく、携帯が容易であるため、既存の振動体感型椅子、一般の床部又は一般の椅子への取り付けが容易に行え、設備コストが低減されるという効果が得られる。
【図面の簡単な説明】
【００３３】
【図１】従来の振動体感型椅子を示す正面図である。
【図２】従来の振動体感型椅子を示す側面図である。
【図３】本発明の好適な一実施例に係る振動体感型シートを示す斜視図である。
【図４】本発明の好適な一実施例に係る振動体感型シートを示す断面図である。
【図５】本発明の好適な他の一実施例に係る振動体感型シートに挿入されるインサートを示す正面図である。
【図６】本発明の好適な他の一実施例に係る振動体感型シートに挿入されるインサートを示す正面図である。
【図７】本発明の好適な他の一実施例に係る振動体感型シートに挿入されるインサートを示す正面図である。
【図８】本発明の好適な他の一実施例に係る振動体感型シートに挿入されるインサートを示す正面図である。
【図９】本発明の好適な他の一実施例に係る振動体感型シートが設置され得る振動体感型椅子を示す正面図である。
【図１０】本発明の好適な他の一実施例に係る振動体感型シートが設置され得る振動体感型椅子を示す側面図である。
【図１１】図９中のＡ−Ａ線に沿った断面を示す平面図である。
【図１２】図９中のＢ−Ｂ線に沿った断面を示す平面図である。
【発明を実施するための形態】
【００３４】
本発明の好適な実施例について添付の図面を参照して詳述する。なお、各図中、構成要素に参照符号を付する際は、同一の構成要素には同一の符号を付して示す。
【００３５】
図３は、本発明の好適な一実施例に係る振動体感型シート６００を示す斜視図であり、図４は、本発明の好適な一実施例に係る振動体感型シート６００を示す断面図である。
【００３６】
図３乃至図４に示されるように、本発明の好適な一実施例に係る振動体感型シート６００は、本体部６１０、固定ブラケット６４０、インサート６５０、締結溝部６６０、及び振動ユニット６７０を含むことができる。
【００３７】
前記本体部６１０は、観客に安楽性を提供するため、内部にクッション部材６３０を備え、好ましくは、前記本体部６１０の内部に設けられるクッション部材６３０は、スポンジ、ウレタンのように弾性を持つ素材で形成することができる。
【００３８】
前記固定ブラケット６４０は、前記本体部６１０の後面を支持するように、前記本体部６１０の後面に設けられる。本発明の好適な一実施例によれば、前記固定ブラケット６４０は、平らなプレート形状の金属、プラスチック、又はベニヤ板などで製造することができる。
【００３９】
前記インサート６５０は、前記クッション部材６３０に一体に挿入成形可能である。前記本体部６１０の内に設けられるクッション部材６３０を成形する際は、前記クッション部材６３０を発泡成形するための金型の内部にインサート６５０を入れ、スポンジを注いで成形を行うことができる。
【００４０】
前記締結溝部６６０は、前記本体部６１０のクッション部材６３０の後端面から前記インサート６５０の挿入位置まで凹形状に形成される。即ち、前記クッション部材６３０を発泡成形するための金型は、締結溝部６６０を形成するための凸部（図示せず）を有し、このような金型にインサート６５０を挿入した後、スポンジを注いで成形を行うことができる。
【００４１】
前記振動ユニット６７０は、前記締結溝部６６０の内部に配置され、前記インサート６７０に直接締結されるようになる。このような振動ユニット６７０は、映画館の重低音サウンドを振動に変換させるトランスデューサーとして備えられている。
【００４２】
上述のような比較的簡単な構成でかつ携帯が容易な振動体感型シート６００を採用することによって、振動体感型シートの製造コストを削減し、観客に映画の上映情報と一致する生き生きとした振動を伝達して観客の興味を最大化できるようになる。また、振動体感型シート６００は、既設の映画館内の椅子や床面上に直に設置することが可能であるため、振動体感型椅子の設置コストが低減されるという効果が得られる。
【００４３】
図３乃至図４に示されるように、本発明の好適な一実施例に係る振動体感型シート６００は、本体部６１０に固定設置される支持フレーム６９０をさらに含むことができる。
【００４４】
前記支持フレーム６９０は、両端が前記本体部６１０の両側面にそれぞれ固定され、一側面が前記固定ブラケット６４０に当接し、前記振動ユニット６７０を支持するように設けられる。
【００４５】
このような支持フレーム６９０は、前記本体部６１０の両側面に、両端がボルト、リベット、又は溶接などのような公知の締結手段により締結される。
【００４６】
従って、前記支持フレーム６９０が、前記本体部６１０のクッション部材６３０に一体に形成されたインサート６５０に直接締結される前記振動ユニット６７０を支持することで、前記振動ユニット６７０の振動による前記クッション部材６３０の損傷を防止し、振動体感型シート６００のメンテナンス費用を低減することができる。
【００４７】
また、本発明の好適な他の一実施例に係る振動体感型シート６００は、通信部６８０及び電源供給部６８１をさらに含む。
【００４８】
前記通信部６８０は、前記本体部６１０の内部に配置され、上映システムの操作室に設けられた制御装置（図示せず）と相互通信を行うことで映画上映情報を受信するようになる。特に限定されるものではないが、椅子が設置されていない児童映画館などのような場所では、不注意による事故を予防するため、前述のような通信部６８０は、上映システムの操作室に設けられる制御装置との無線通信を行うことができる無線通信部として設けられることが好ましい。
【００４９】
特に限定されるものではないが、前述のような通信部６８０は、デジタル信号受信部（ｄｉｇｉｔａｌ  ｓｉｇｎａｌ  ｔｒａｎｓｆｏｒｍａｔｉｏｎ）、デジタル信号変換部、アナログ信号出力部、及びアナログ信号増幅部（ａｎａｌｏｇ  ｓｉｇｎａｌ  ａｍｐｌｉｆｙ）から構成することができる。なお、必要に応じて、制御モジュール（ｃｏｎｔｒｏｌ  ｍｏｄｕｌｅ）の形態で、デジタル信号受信部、デジタル信号変換部及びアナログ信号出力部が、振動体感型シート６００でない、上映システムの操作室などに設けられ、アナログ信号増幅部のみで振動体感型シート６００の通信部を構成することもできる。
【００５０】
特に限定されるものではないが、本発明の好適な一実施例によれば、無線通信は、ＲＦ無線通信方式で行うことができる。この場合、上映システムの操作室に設けられるデジタル信号送信部（ｄｉｇｉｔａｌ  ｓｉｇｎａｌ  ｔｒａｎｓｍｉｔ）が、アナログ音響信号をエンコード（ｅｎｃｏｒｄｉｎｇ）する。その後、デジタル信号送信部が、前記アナログ音響信号を圧縮し、変換後、デジタル無線信号を用いてデジタル信号受信部に伝送する。伝送されたデジタル信号をデジタル信号変換部で受信されたデジタル信号をアナログ信号にデコード（ｄｅｃｏｒｄｉｎｇ）して圧縮変換する。変換されたアナログ信号をアナログ信号出力部が出力し、これをアナログ信号増幅部で増幅し、増幅された信号を振動ユニット６７０に伝達する。
【００５１】
但し、一般の椅子又は振動体感型椅子が設置されている映画館では、上映システムの操作室に設けられた制御ユニットと有線通信方式で相互交信を行うこともできる。
【００５２】
前記電源供給部６８１は、前記本体部６１０の一部に配置することができる。前記電源供給部６８１は、通信部６８０の信号に応じて前記振動ユニット６７０に電源を供給することで、振動ユニット６７０を作動させることができる。なお、本発明の好適な一実施例に係る振動体感型シート６００の携帯性を図るため、電源供給部６８１をバッテリとすることができる。
【００５３】
また、本発明の好適な一実施例に係る振動体感型シート６００は、カバー６２０をさらに含むことができる。
【００５４】
前記カバー６２０が、前記本体部６１０の前面、側面の全体及び後面の一部を囲む。特に限定されるものではないが、カバー６２０は、織物（ｆａｂｒｉｃ）又は皮革素材で形成することができる。
【００５５】
また、カバー６２０は、観客が飲み物を溢したり汚れがついたりする場合に備えて、内部に配設されるクッション部材６３０に一体に挿入成形される前記インサート６５０を保護するため、防水性能に優れた防水素材で製造することができる。
【００５６】
図５乃至図８は、本発明の好適な他の一実施例に係る振動体感型シート６００に挿入されるインサート６７０を示す正面図である。
【００５７】
図５に示されるように、本発明の好適な第１の実施例に係る振動体感型シート６００に挿入されるインサート６５０は、八角形の板状を呈し、複数個のボルト締結孔６５１、第１の貫通孔６５２−１、第２の貫通孔６５２−２、及び第３の貫通孔６５２−３を含むことができる。
【００５８】
なお、前記第３の貫通孔６５２−３は、前記八角形状のインサート６５０の一面に２つを一対にして計８つ設けられ、前記第２の貫通孔６５２−２は、前記一対の第３の貫通孔６５２−３の外側に、前記ボルト締結孔６５１は、前記一対の第３の貫通孔６５２−３の間に設けられている。
【００５９】
前記振動ユニット６７０は、前記複数個のボルト締結孔６５１に挿入されるボルトによって締結されるようになる。本発明の好適な第１の実施例によれば、前記複数個のボルト締結孔６５１は、同じ間隔を有するように９０度の角度を有して４つ設けられている。但し、前記振動ユニット６７０の大きさや形態によって、より多数のボルト締結孔６５１を形成することができる。
【００６０】
前記第１の貫通孔６５２−１は、八角形の板形状の中央を貫通するように配置され、また、第１の貫通孔６５２−１は、円形状で１つ設けられている。
【００６１】
前記複数個の第２の貫通孔６５２−２は、第１の貫通孔６５２−１の外周縁に沿って一定の角度を有するように配置され、また、それぞれの第２の貫通孔６５２−２は、円形状であることができる。本発明の好適な第１の実施例によれば、第２の貫通孔６５２−２は、９０度の角度を有するように４つ設けられている。
【００６２】
前記複数個の第３の貫通孔６５２−３は、第２の貫通孔６５２−２の間で第１の貫通孔６５２−１の外周縁に沿って一定間隔で配置され、また、それぞれの第３の貫通孔６５２−３は、円形状であることができる。本発明の好適な第１の実施例によれば、複数個の第３の貫通孔６５２−３は、第１の貫通孔６５２−１の外周縁に沿って第２の貫通孔６５２−２の間に２つずつ配置され、８つ設けられている。
【００６３】
また、前記第１の貫通孔６５２−１、第２の貫通孔６５２−２及び第３の貫通孔６５２−３のそれぞれの直径が互いに異なるように形成することができる。即ち、第１の貫通孔、第２の貫通孔、第３の貫通孔の順に直径が小さくなるように形成される。このような形状を有する前記インサート６５０に、前記振動ユニット６７０が直接締結されることで、前記振動ユニット６７０から発生する微細な振動を細密に観客に伝達することが可能となる。
図６に示されるように、本発明の好適な第２の実施例に係る振動体感型シート６００に挿入されるインサート６５０は、八角形の板形状を呈し、複数個のボルト締結孔６５１及び複数個の貫通孔６５３を有することができる。
【００６４】
前記振動ユニット６７０は、前記複数個のボルト締結孔６５１に挿入されるボルトによって締結されるようになる。本発明の好適な第２の実施例によれば、前記複数個のボルト締結孔６５１は、同じ間隔を有するように９０度の角度を有して４つ設けられている。但し、前記振動ユニット６７０の大きさや形態によって、より多数のボルト締結孔６５１を形成することができる。
【００６５】
複数個の貫通孔６５３は、市松模様状に配置され、隣り合う貫通孔２３３と等間隔を空けて設けられている。また、前記複数個の貫通孔６５３は、同一の直径を有する円形状であることができる。
【００６６】
このような形状を有する前記インサート６５０に、前記振動ユニット６７０が直接締結されることで、前記振動ユニット６７０から発生する微細な振動までも観客に伝達することが可能となる。
【００６７】
図７に示されるように、本発明の好適な第３の実施例に係る振動体感型シート６００に挿入されるインサート６５０は、ジグザグ状に複数回折り曲げられる板形状を呈することができる。また、前記インサート６５０は、複数個のボルト締結孔６５１、複数個の水平部６５４−１、及び複数個の垂直部６５４−２を備えることができる。
【００６８】
前記インサート６５０がジグザグ状に複数回折り曲げられる板形状であることにより、前記振動ユニット６７０から発生する微細な振動が細密に観客に伝達されるようになり、インサートの製造コストを低減することができる。
【００６９】
前記振動ユニット６７０は、複数個のボルト締結孔６５１に挿入されるボルトによって締結されるようになる。本発明の好適な第３の実施例によれば、複数個のボルト締結孔６５１は、同じ間隔を有するように９０度の角度を有して４つ設けられている。但し、振動ユニット６７０の大きさや形態によって、より多数のボルト締結孔６５１を形成することができる。
【００７０】
また、本発明の好適な第３の実施例によれば、前記複数個の水平部６５４−１は、互いにジグザグ状をなすように４つ、前記複数個の垂直部６５４−２は、ジグザグ状をなすように５つ設けられ、これらを一体型にすることもできる。但し、振動体感型椅子又は振動ユニットの大きさや形態によって、より多数の垂直部６５４−２及び水平部６５４−１を形成することもできる。
【００７１】
さらに、本発明の好適な第３の実施例によれば、隣接して配置される垂直部６５４−２同士の間隔が同一であり、インサート６５０の両端をなす垂直部６５４−２は、互いに逆方向を向くように配置される。
【００７２】
このような形状を有するインサート６５０に振動ユニット６７０が直接締結されることで、繰り返される振動ユニット６７０の振動によるクッション部材６３０の損傷を極力抑制することができる。
【００７３】
図８に示されるように、本発明の好適な第４の実施例に係る振動体感型シート６００に挿入されるインサート６５０は、本体６５５、凹部６５７、及び複数個のボルト締結孔６５１を含むことができる。
【００７４】
前記インサート６５０の本体６５５は、インサート６５０の全体形状を維持するため、板形状を呈することができる。
【００７５】
前記本体６５５の一部に複数個のボルト締結孔６５１が設けられるが、後述する凹部６５７を除く本体６５５に形成することができる。
【００７６】
前記振動ユニット６７０は、複数個のボルト締結孔６５１に挿入されるボルトによって締結されるようになる。本発明の好適な第４の実施例によれば、前記複数個のボルト締結孔６５１は、同じ間隔を有するように９０度の角度を有して４つ設けられている。但し、振動ユニット６７０の大きさや形態によって、より多数のボルト締結孔６５１を形成することができる。
【００７７】
前記凹部６５７は、前記本体６５５の内部にジグザグ状に複数回折り曲げて形成される複数個の水平部６５６−１及び複数個の垂直部６５６−２を含むことができる。
【００７８】
前記凹部６５７における垂直部６５６−２同士の間隔は、互いに異なる第１の間隔６５８−１と第２の間隔６５８−２とで形成され、前記凹部６５７の両側面と中央に設けられる垂直部６５６−２同士の第１の間隔が、前記第１の間隔の間に形成される第２の間隔より大きくなっている。
【００７９】
このような形状を有する前記インサート６５０に振動ユニット６７０が直接締結されることで、前記振動ユニット６７０から発生する振動を観客に簡便かつ正確に直接伝達し、観客の興味を向上させることが可能である。
【００８０】
図９は、本発明の好適な一実施例に係る振動体感型シート６００が設置され得る振動体感型椅子１００を示す正面図であり、図１０は、本発明の好適な一実施例に係る振動体感型シート６００が設置され得る振動体感型椅子１００を示す側面図である。図１１は、図９中のＡ−Ａ線に沿った断面を示す平面図であり、図１２は、図９中のＢ−Ｂ線に沿った断面を示す平面図である。
【００８１】
図９乃至図１２を参照して、本発明の好適な一実施例に係る振動体感型シート６００が設置され得る振動体感型椅子１００について説明する。
【００８２】
振動体感型椅子１００は、床面７０に固定される一対の固定部６０を含むことができる。前記固定部６０は、必要に応じて様々な形態とすることができ、床面７０にボルト、溶接、リベットなどのような公知の手段で締結される。
【００８３】
一対の固定部６０の一部に背もたれ部２０が固定設置され、一対の固定部６０の一部に着席部３０が連結部５０によって回転可能に設けられ、一対の固定部６０の上端に一対の肘掛け部４０が設けられている。
【００８４】
図示していないが、必要に応じて、肘掛け部４０の両端にカップ差し口を形成することができる。
【００８５】
背もたれ部２０は、観客に安楽性を提供するため、内部に第１のクッション部材２２を備え、特に限定されるものではないが、好ましくは、前記第１のクッション部材２２の前面、側面の全体及び後面の一部が第１のカバー２１で囲まれることが好ましい。また、第１のクッション部材２２の後面は、第１の固定ブラケット２３で囲まれている。
【００８６】
着席部３０は、観客に安楽性を提供するため、内部に第２のクッション部材３２を備え、特に限定されるものではないが、好ましくは、前記第２のクッション部材３２の前面、側面の全体及び後面の一部が第２のカバー３１で囲まれることが好ましい。また、第２のクッション部材３２の後面は、第２の固定ブラケット３３で囲まれている。
【００８７】
なお、背もたれ部２０及び着席部３０の第１又は第２のカバー３１、３２は、必要に応じて織物（ｆａｂｒｉｃ）又は皮革素材で形成することができ、背もたれ部２０及び着席部３０の第１又は第２のクッション部材２２、２３は、スポンジ、ウレタンのように弾性を持つ素材で形成することができ、背もたれ部２０及び着席部３０の第１又は第２の固定ブラケット２３、３３は、平らなプレート形状の金属、プラスチック、又はベニヤ板で形成することができる。
【００８８】
第１のインサート２００は、前記背もたれ部２０の第１のクッション部材２２に一体に挿入形成可能であり、第２のインサート２１０が、前記着席部３０の第２のクッション部材３２に一体に挿入成形可能である。また、前記背もたれ部２０の内部に設けられる第１のクッション部材２２又は着席部３０の内部に設けられる第２のクッション部材３２を成形するときは、第１又は第２のクッション部材２２、３２を発泡成形するための金型の内部に第１又は第２のインサート２００、２１０を入れ、スポンジを注いで成形を行うことができる。
【００８９】
第１又は第２の締結溝部３００、３１０は、背もたれ部２０の第１のクッション部材２２の後端面から前記第１のインサート２００の挿入位置、又は着席部３０の第２のクッション部材３２の後端面から前記第２のインサートの挿入位置まで凹形状に形成される。即ち、特に限定されるものではないが、第１又は第２のクッション部材２２、３２を発泡成形するための金型は、第１又は第２の締結溝部３００、３１０を形成するための凸部を備え、このような金型に第１又は第２のインサート２００、２１０を挿入した後、スポンジを注いで成形を行うようになる。
【００９０】
第１又は第２の振動ユニット４００、４１０は、第１又は第２の締結溝部３００、３１０の内部に配置され、第１又は第２のインサート２００、２１０に直接締結される。特に限定されるものではないが、このような第１又は第２の振動ユニット４００、４１０は、映画館の重低音サウンドを振動に変換するトランスデューサーとして備えられている。
【００９１】
図９乃至図１２に示されるように、振動体感型椅子１００は、背もたれ部２０に設けられる第１の支持フレーム５００、又は、着席部３０に設けられる第２の支持フレーム５１０をさらに含むことができる。背もたれ部２０に設けられる第１の支持フレーム５００は、両端が前記背もたれ部２０の両側面にそれぞれ固定され、一側面が第１の固定ブラケット２３に当接し、前記第１の振動ユニット４００を支持するように設けられる。また、着席部３０に設けられる第２の支持フレーム５１０は、両端が前記着席部３０の両側面にそれぞれ固定され、一側面が第２の固定ブラケット３３に当接し、前記第２の振動ユニット４１０を支持するように設けられる。
【００９２】
特に限定されるものではないが、このような第１又は第２の支持フレーム５００、５１０は、背もたれ部２０又は着席部３０の両側面に、第１又は第２の支持フレーム５００、５１０の両端が、ボルト、リベット又は溶接のような公知の締結手段で締結されるようになる。
【００９３】
本発明の好適な一実施例によれば、振動体感型シート６００は、振動体感型椅子１００の着席部３０に着脱可能に設けられている。
【００９４】
即ち、観客から要求がある場合、携帯用振動体感型シート６００を、振動体感型椅子１００の着席部３０上に載置すると、有線又は無線方式の通信部によって、映画上映状況に応じて振動体感型シート６００の上に着座している観客に、生き生きとした振動を伝達することが可能となる。また、取り付け及び取り外し作業時に、振動体感型椅子を全部取り付け又は取り外しする必要がないため、設備コスト及び製造コストを低減することができる。
【００９５】
本発明は、図示の変形例及び上述の実施例に限定されるものではなく、添付の請求範囲の範疇内で種々に変更して実施することができる。
【図１】
2017504365.tif 000003
【図２】
2017504365.tif 000004
【図３】
2017504365.tif 000005
【図４】
2017504365.tif 000006
【図５】
2017504365.tif 000007
【図６】
2017504365.tif 000008
【図７】
2017504365.tif 000009
【図８】
2017504365.tif 000010
【図９】
2017504365.tif 000011
【図１０】
2017504365.tif 000012
【図１１】
2017504365.tif 000013
【図１２】
2017504365.tif 000014
【国際調査報告】
2017504365.tif 000015
2017504365.tif 000016